(57)【要約】      （修正有）【課題】  不透明な容器の胴部に窓部を設けるとともに、窓部を必要に応じて確実に開閉できるようにし、内容物の感光による変質を防止するとともに、容器内の内容物の状況を視認できる窓付き容器を提供する。【解決手段】  窓付き容器として、内容物を収容する内容器と、内容器の口筒部に取着される取付キャップと、取付キャップに廻動可能に取着され、内容器を覆う外容器とからなる容器であって、内容器および外容器の外周壁に、内部を視認できる窓部が設けられている。【選択図】  図１
2006273336.tif 000002
【特許請求の範囲】
【請求項１】
内容物を収容する内容器と、内容器の口筒部に取着される取付キャップと、取付キャップに廻動可能に取着され、内容器を覆う外容器とからなる容器であって、
内容器および外容器の外周壁に、内部を視認できる窓部が設けられていることを特徴とする窓付き容器。
【請求項２】
内容器が、透明または半透明の合成樹脂により形成され、外周壁面に、一部に窓部が配設された不透明の装飾面が形成されていることを特徴とする請求項１記載の窓付き容器。
【請求項３】
外容器が、不透明の合成樹脂により形成され、側周壁の一部に内部を視認できる窓孔部が穿設されていることを特徴とする請求項１、２記載の窓付き容器。
【請求項４】
外容器が、透明または半透明の合成樹脂により形成され、外面に側周の一部に窓部が配設された不透明の装飾面が形成されていることを特徴とする請求項１、２記載の窓付き容器。
【請求項５】
取付キャップと外容器に、内容器の窓部と外容器の窓部との重なり位置を表示する位置合せマークが配設されていることを特徴とする請求項１〜４記載の窓付き容器。
【発明の詳細な説明】
【技術分野】
【０００１】
本発明は、窓付き容器、とくに容器の胴部に窓部を設けた容器に関するものである。
【背景技術】
【０００２】
不透明な外容器（５）の胴部（２）の一部に透明な窓部（１６）を形成し、容器の外部より容器内を視認できるようにした容器は、従来より知られている（例えば、特許文献１参照）。
【特許文献１】特開平９−３０５７７号公報
【発明の開示】
【発明が解決しようとする課題】
【０００３】
しかしながら、上記の容器では、不透明な外容器（５）の胴部（２）の一部に透明な窓部（１６）が形成されているため、内容物が長時間の感光により変質するものでは、窓部（１６）から光が入り、内容物が変質するという問題があった。
【０００４】
本発明は、上記問題を解決することを課題として、不透明な容器の胴部に窓部を設けるとともに、窓部を必要に応じて確実に開閉できるようにし、内容物の感光による変質を防止するとともに、容器内の内容物の状況を視認できる窓付き容器を提供することを目的とする。
【課題を解決するための手段】
【０００５】
本発明は、上記の課題を解決するため、窓付き容器として、内容物を収容する内容器と、内容器の口筒部に取着される取付キャップと、取付キャップに廻動可能に取着され、内容器を覆う外容器とからなる容器であって、内容器および外容器の外周壁に、内部を視認できる窓部が設けられていることを特徴とする構成を採用する。
【０００６】
内容器として、内容器が、透明または半透明の合成樹脂により形成され、外周壁面に、一部に窓部が配設された不透明の装飾面が形成されていることを特徴とする構成を採用する。
【０００７】
外容器として、外容器が、不透明の合成樹脂により形成され、側周壁の一部に内部を視認できる窓孔部が穿設されていることを特徴とする構成、または、外容器が、透明または半透明の合成樹脂により形成され、外面に側周の一部に窓部が配設された不透明の装飾面が形成されていることを特徴とする構成を採用する。
【０００８】
内容器と外容器の位置合わせのために、取付キャップと外容器に、内容器の窓部と外容器の窓部との重なり位置を表示する位置合せマークが配設されていることを特徴とする構成を採用する。
【発明の効果】
【０００９】
本発明の窓付き容器は、内容物を収容する内容器と、内容器の口筒部に取着される取付キャップと、取付キャップに廻動可能に取着され、内容器を覆う外容器とからなる容器であって、内容器および外容器の側周壁に、内部を視認できる窓部が設けられているので、外容器の回転により、容器外から容器内の内容物を確認できるようになった。
また、内容器の窓部を装飾面の形成時に配設する場合には、一般的なダイレクトブローで容器を形成できるようになった。
【発明を実施するための最良の形態】
【００１０】
次に、本発明の容器の実施形態について、実施例をあげ、図面を参照して説明する。
【実施例１】
【００１１】
本発明の第１実施例について説明する。
図１において、Ａは内容器、Ｂは外容器、Ｃは内容器Ａの口部にポンプを取着するとともに、外容器Ｂを廻動可能に装着する取付キャップ、ｎは内容器Ａ内に収容された内容物である。
【００１２】
図１、２に示すように、内容器Ａは、不透明の合成樹脂と、透明または半透明の合成樹脂とを同時に押し出して形成したパリソンをブロー成形することにより形成され、不透明部１と、不透明部１の一部に形成される透明または半透明の窓部２とを具えた、口筒部３と肩部４、胴部５、底部６とを形成している。
口筒部３外周には、取付キャップＣを取着するねじ７が螺設されている。
【００１３】
図１、３に示すように、外容器Ｂは、不透明の合成樹脂により形成され、外筒壁１０と底壁１１とからなっており、外筒壁１０の内周上端には、取付キャップＣと係合する係合部１２が設けられている。
外筒壁１０の下方の所定の位置には、外部から内部を視認できる窓孔部１３が穿設され、外筒壁１０の外周上端には、位置合せマーク１４が配設されている。  
【００１４】
図１に示すように、取付キャップＣは、内筒部１５と肩部１６、該肩部１６より垂設された外筒部１７を備えており、内筒部１５の内周には、内容器Ａの口筒部３のねじ７に螺合するねじ１８が設けられている。
肩部１６の外周縁には、位置合せマーク１９が配設されている。
外筒部１７の外周には、外容器Ｂの係合部１２と廻動可能に係合する係合部２０が設けられている。
【００１５】
実施例では、外容器Ｂの係合部１２と取付キャップＣの係合部２０を全周にわたって設けているが、係合部２０を短い凸条とし、係合部１２を長い凹溝として、外容器Ｂの廻動範囲を規制するようにしてもよく、また、係合部２０を長い凹溝、係合部１２を短い凸条と、凹溝、凸条を逆にしてもよい。
【００１６】
取付キャップＣは、内筒部１５によりポンプを内容器Ａの口筒部に取着するようになっており、取付キャップＣの上部には、ポンプに連結される吐出ノズル２１が取着されている。
ポンプは、内容器Ａ内より内容物ｎを吸い上げ、吐出ノズル２１から吐出するものであればよい。
【００１７】
次に、本実施例容器の使用態様と作用効果について説明する。
容器の組立方法は、まず、内容物ｎを充填した内容器Ａの口筒部３に、ポンプを取着した取付キャップＣを取着する。
次に、取付キャップＣの外筒部１７の係合部２０と、外容器Ｂの外筒壁１０の係合部１２とを係合させることにより、外容器Ｂは取付キャップＣに廻動可能に取着される。
【００１８】
本実施例の容器の使用にあたって、吐出ノズル２１を押下げ操作すると、ポンプによって内容器Ａ内から内容物ｎが吸上げられ、吐出ノズル２１から吐出することができる。
【００１９】
本実施例の容器は、取付キャップＣを把持し、外容器Ｂのみを回転させ、図４に示すように、取付キャップＣの位置合せマーク１９と外容器Ｂ外周上端の位置合せマーク１４とを合わせることで、外容器Ｂの外筒壁１０の窓孔部１３は、内容器Ａの窓部２に合わされる。
このことにより、容器外から、外容器Ｂの窓孔部１３を通し、内容器Ａの窓部２より内容器Ａ内の内容物ｎを視認することができ、内容物ｎの残量や状態が容器外より確認することができる。
【００２０】
内容物ｎの視認の必要がなくなったときには、再び、取付キャップＣを把持し、外容器Ｂのみを回転させ、取付キャップＣの位置合せマーク１９と外容器Ｂ外周上端の位置合せマーク１４とをずらすことで、図１に示すように、外容器Ｂの窓孔部１３がずれ、外容器Ｂの窓孔部１３は、内容器Ａの不透明部１に合わされる。
このことにより、容器外から内容器Ａ内の視認ができなくなる。
【００２１】
外容器Ｂと取付キャップＣとの所定の位置に、位置合せマーク１４および位置合せマーク１９を設け、互いに整合することで、外容器Ｂの窓孔部１３と内容器Ａの窓部２とを一致させることができる。
また、位置合せマーク１４および位置合せマーク１９をずらし、外容器Ｂの窓孔部１３を内容器Ａの不透明部１に合わせて保管することにより、窓付き容器の遮光性が高まるため、内容物ｎが長い時間の感光により変質するようなものであっても、容器内に収納して利用することができ、内容物ｎを最後まで安全に使用することができる。
【００２２】
また、内容器Ａの不透明部１の外容器Ｂの窓孔部１３から見える位置に、商品表示や模様などを施すことで、外容器Ｂを廻動させた際に、容器外から、施された商品表示等を外容器Ｂの窓孔部１３を通して見ることができる。
【００２３】
上記実施例では、内容器Ａが、不透明の合成樹脂と、透明または半透明の合成樹脂とを同時に押し出して形成したパリソンをブロー成形することにより、不透明部１と窓部２とで形成していたが、
内容器Ａ全体を、透明または半透明の合成樹脂で形成し、内容器Ａの外周面に、転写、塗装、蒸着などで、一部に窓部２を設けた、遮光性のある不透明の装飾を施した不透明部１を形成しても、上記実施例と同様の効果が得られる。
【実施例２】
【００２４】
次に、内容器と外容器の構成を変えた第２実施例について説明する。
図５において、Ｄは内容器、Ｅは外容器、Ｃａは内容器Ｄの口部にポンプとともに取着し、外容器Ｅを廻動可能に取着する取付キャップ、ｎは内容器Ｄ内に収容された内容物である。
【００２５】
図５、６に示すように、内容器Ｄは、口筒部２５と肩部２６、底部が開放された円筒状の胴筒壁２７とからなる透明または半透明の合成樹脂により形成された容器部Ｄａと、内容物ｎと色の異なる半透明または不透明の合成樹脂により形成され、胴筒部２７の内周に摺動自在に嵌挿される弾性周壁２８を外周に設けた底板部Ｄｂとからなっている。
口筒部２５外周には、取付キャップＣａを取着するねじ２９が螺設されている。
【００２６】
容器部Ｄａの外周面には、転写、塗装、蒸着などで、遮光性のある不透明の装飾を施した装飾面３０が形成され、装飾面３０の胴筒部２７上部の一部には、透明または半透明の窓部３１が配設されている。
【００２７】
図５に示すように、外容器Ｅは、不透明の合成樹脂により形成され、外筒壁３５と底壁３６とからなっており、外筒壁３５の内周上端には、取付キャップＣａと係合する係合部３７が設けられている。
外筒壁３５の上方の所定の位置には、外部から内部を覗ける窓孔部３８が穿設され、外筒壁３５の外周上端には、位置合せマーク３９が配設されている。  
【００２８】
取付キャップＣａの構成は、実施例１と同様であるので、添字ａを付して図示し、詳しい説明は省略する。
取付キャップＣａの上部には、ポンプに連結される吐出ノズル２１ａが取着される。
ポンプは、内容器Ｄ内より内容物ｎを吸い上げるとともに、内容器Ｄ内が負圧になり、容器部Ｄａ内で底板部Ｄｂを上昇させ、吐出ノズル２１ａから内容物ｎを吐出するものであればよい。
【００２９】
次に、本実施例容器の使用態様と作用効果について説明する。
容器の組立方法は、まず、容器部Ｄａ内に底板部Ｄｂを嵌挿させた内容器Ｄに内容物ｎを充填し、内容器Ｄの口筒部２５に、ポンプを取着した取付キャップＣａを取着する。
次に、取付キャップＣａの外筒部１７ａの係合部２０ａと、外容器Ｅの外筒壁３５の係合部３７とを係合させることにより、外容器Ｅは取付キャップＣａに廻動可能に取着される。
【００３０】
本実施例の容器の使用にあたって、吐出ノズル２１ａを押下げ操作すると、ポンプによって内容器Ｄ内から内容物ｎが吸上げられ、吐出ノズル２１ａから吐出される。
【００３１】
内容器Ｄは、内容物ｎが吸上げられ、内容器Ｄ内が負圧になることにより、容器部Ｄａ内の底板部Ｄｂが上方に摺動される。
底板部Ｄｂが上方に摺動することにより、内容器Ｄ内の負圧が解かれ、底板部Ｄｂの摺動が止まり、底板部Ｄｂは容器部Ｄａ内の上昇した位置で停止し、内容器Ｄ内は常圧に維持される。
【００３２】
本実施例の容器は、取付キャップＣａを把持し、外容器Ｅのみを回転させ、図７に示すように、取付キャップＣａの位置合せマーク１９ａと外容器Ｅ外周上端の位置合せマーク３９とを合わせることで、外容器Ｅの外筒壁３５の窓孔部３８は、内容器Ｄの装飾面３０の窓部３１に合わされる。
このことにより、容器外から、外容器Ｅの窓孔部３８を通し、内容器Ｄの窓部３１より内容器Ｄ内の内容物ｎを視認することができ、内容物ｎの状態が容器外より確認することができる。
【００３３】
また、内容器Ｄが、内容物ｎを吸い上げるごとに、容器部Ｄａ内の内容物ｎと色の異なる底板部Ｄｂが上昇する容器であるので、内容物ｎがなくなると内容器Ｄの窓部３１より見えるのが底板部Ｄｂの弾性周壁２８だけとなるようにすれば、図７（ｂ）に示すように、容器外から外容器Ｅの外筒壁３５の窓孔部３８を通して、内容物ｎの残量を確認することができる。
【００３４】
内容物ｎの視認の必要がなくなったら、再び、取付キャップＣａを把持し、外容器Ｅのみを回転させ、取付キャップＣａの位置合せマーク１９ａと外容器Ｅ外周上端の位置合せマーク３９とをずらすことで、図５に示すように、外容器の窓孔部３８がずれ、外容器Ｂの窓孔部３８は、内容器Ｅの装飾面３０に合わされる。
このことにより、容器外から内容器Ｄ内の視認ができなくなる。
【００３５】
本実施例も実施例１同様、外容器Ｅの廻動により内容器Ｄの窓部３１を開閉できるので、内容器Ｄ内の内容物ｎが長い時間の感光により変質するようなものであっても、最後まで安全に使用することができる。
【００３６】
上記各実施例では、外容器の側周の下方または上方の一部に窓孔部を穿設したが、内容器の側周壁に設けた窓部を上部から下方に設けることにより、窓孔部を外容器の側周の上方から下方まで設けてもよい。
また、窓孔部の横幅も、外容器を回転させ、窓孔部から内容器の窓部を開閉できればよく、外容器の窓孔部、および、内容器の窓部の形状は、上記各実施例に限定されない。
【００３７】
上記各実施例では、外容器を不透明の合成樹脂により形成し、外周面の一部に窓孔部を穿設したが、外容器を前記内容器と同様に透明または半透明の合成樹脂により形成し、外周面に、転写、塗装、蒸着などで、一部に窓部を配設した遮光性のある不透明の装飾面とすることにより、上記各実施例の外容器と同様の効果が得られる。
【産業上の利用可能性】
【００３８】
本発明は、内容器の一部に内部を視認できる窓部を設け、取付キャップに廻動可能に取着される外容器に窓孔部を設けたことにより、内容器の窓部を開閉することができるので、内容物の状態を外部より視認できるとともに、内容物の長い時間の感光による変質を防止することができ、化粧品、薬品、その他の容器として広く利用することができる。
【図面の簡単な説明】
【００３９】
【図１】本発明第１実施例の容器の説明図である。
【図２】第１実施例の内容器の断面図である。
【図３】第１実施例の外容器の断面図である。
【図４】第１実施例の外容器と取付キャップの位置合せマークを合わせたときの説明図である。
【図５】本発明第２実施例の容器の説明図である
【図６】第２実施例の内容器の断面図である。
【図７】第２実施例の外容器と取付キャップの位置合せマークを合わせたときの説明図で、（ａ）は内容器の窓部から内容物のみが視認されたときの図、（ｂ）は内容器の窓部から内容器の底板部が視認されたときの図である。
【符号の説明】
【００４０】
Ａ、Ｄ        内容器
Ｂ、Ｅ        外容器
Ｃ、Ｃａ      取付キャップ
Ｄａ          容器部
Ｄｂ          底板部
ｎ            内容物
１            不透明部
２、３１      窓部
３、２５      口筒部
４、２６      肩部
５            胴部
６            底部
７、１８、１８ａ、２９  ねじ
１０、３５    外筒壁
１１、３６    底壁
１２、２０、２０ａ、３７  係合部
１３、３８    窓孔部
１４、１９、１９ａ、３９  位置合せマーク
１５、１５ａ  内筒部
１６、１６ａ  肩部
１７、１７ａ  外筒部
２１、２１ａ  吐出ノズル
２７          胴筒壁
２８          弾性周壁     
３０          装飾面
【図１】
2006273336.tif 000003
【図２】
2006273336.tif 000004
【図３】
2006273336.tif 000005
【図４】
2006273336.tif 000006
【図５】
2006273336.tif 000007
【図６】
2006273336.tif 000008
【図７】
2006273336.tif 000009